(57)【要約】      （修正有）【課題】小型でありながら硬貨、紙幣、キーの収納が可能な財布を提供する。【解決手段】展開することによって四周の側壁２０が立上って高さが底辺の半分となる正四角筒で上方に開口するボックス型になり、開口部から硬貨の出し入れができ、四周の側壁２０を内側に倒し、かつ正方形の底部１５を二つ折りすることによって小型の折り畳み状態となる硬貨収納部１２と、硬貨収納部１２の正方形の底部１５の中心線に沿った山折りの折り畳み線よりも片側に偏した面の外側に形成したキーホルダー部と、硬貨収納部１２の四周の側壁２０のうちの山折りの折り畳み線に平行な一壁で、二つ折りの折り畳み状態で内側に来る一壁２０Ａの外側面に四角のパッチ２１を縫い付け若しくは接着することによって形成した、四折り紙幣が収納可能な紙幣収納部１４とを備えた。【選択図】図８
0003201861.tif 000002
【実用新案登録請求の範囲】
【請求項１】
展開することによって四周の側壁が立上って高さが底辺の半分となる正四角筒で上方に開口するボックス型になり、前記開口部から硬貨の出し入れができ、前記四周の側壁を内側に折り込み、かつ正方形の底部を二つ折りすることによって小型の折り畳み状態となる硬貨収納部と、
前記硬貨収納部の前記正方形の底部の中心線に沿った山折りの折り畳み線よりも片側に偏した面の外側に形成したキーホルダー部と、
前記硬貨収納部の前記四周の側壁のうちの前記山折りの折り畳み線に平行な一壁で、前記二つ折りの折り畳み状態で内側に来る一壁の外側面に四角のパッチを縫い付け若しくは接着することによって形成した、四折り紙幣が収納可能な紙幣収納部とを備えたことを特徴とする財布。
【請求項２】
前記硬貨収納部の前記紙幣収納部を形成した側壁とは反対側の側壁は、当該側壁の下辺に相当する前記正四角筒の底辺の両端それぞれから当該側壁の上辺中央に向けて斜めに谷折りして当該側壁が前記折り畳み状態では山型になって外側に展伸し、前記硬貨収納部の底部を二つ折りにした折り畳み状態で当該底部の外側に巻き付くようにし、
前記山型の側壁の上部中央に雄雌いずれかのホック若しくは面状ファスナーを設け、
前記二つ折りの折り畳み状態で前記山型の側壁が巻き付く前記硬貨収納部の底面の外側の部分に、前記ホックとはめ合わせられる雌雄いずれかのホック若しくは前記面状ファスナーと係合するファスナー係合部を設け、
前記二つ折りの折り畳み状態で、前記山型の側壁を前記硬貨収納部の底面の外側に巻き付け、前記雄雌のホックをはめ合わせ若しくは前記面状ファスナーをファスナー係合部に係合させることによって当該二つ折りの折り畳み状態を保持するようにしたことを特徴とする請求項１に記載の財布。
【考案の詳細な説明】
【技術分野】
【０００１】
本考案は、多機能でありながら小型の財布に関する。
【背景技術】
【０００２】
小型で硬貨と紙幣を収納できる財布は、様々な種類が販売されており、様々な提案もなされている。例えば特許文献１では、紙幣と複数枚のカード類を収納可能でありながら薄型の財布が提案されている。また、特許文献２では、内部に収納した物を見やすく、且つ、取り出しやすい収納具の提案がなされている。特許文献３では、外側にカード入れを設けた三つ折りタイプの財布についての提案がなされている。
【先行技術文献】
【特許文献】
【０００３】
【特許文献１】実登３１４７３７４号
【特許文献２】実登３１９６２５６号
【特許文献３】特開２０１２−１９６２９１号公報
【考案の概要】
【考案が解決しようとする課題】
【０００４】
従来の財布では、小型の場合、硬貨の出し入れがし難かったり、紙幣が収納できなかったりするものが多く、硬貨と少しの紙幣の収納ができ、且つ、キーホルダーとしても使用可能な小型の財布は殆ど知られていない。
【０００５】
本考案はこのような従来技術の問題点に鑑みてなされたものであり、小型でありながら硬貨、紙幣、キーの収納が可能であり、且つ、収納された硬貨が見やすく、出し入れもしやすい財布を提供することを目的としている。
【課題を解決するための手段】
【０００６】
本考案は、展開することによって四周の側壁が立上って高さが底辺の半分となる正四角筒で上方に開口するボックス型になり、前記開口部から硬貨の出し入れができ、前記四周の側壁を内側に折り込み、かつ正方形の底部を二つ折りすることによって小型の折り畳み状態となる硬貨収納部と、前記硬貨収納部の前記正方形の底部の中心線に沿った山折りの折り畳み線よりも片側に偏した面の外側に形成したキーホルダー部と、前記硬貨収納部の前記四周の側壁のうちの前記山折りの折り畳み線に平行な一壁で、前記二つ折りの折り畳み状態で内側に来る一壁の外側面に四角のパッチを縫い付け若しくは接着することによって形成した、四折り紙幣が収納可能な紙幣収納部とを備えた財布を特徴とする。
【０００７】
上記財布においては、前記硬貨収納部の前記紙幣収納部を形成した側壁とは反対側の側壁は、当該側壁の下辺に相当する前記正四角筒の底辺の両端それぞれから当該側壁の上辺中央に向けて斜めに谷折りして当該側壁が前記折り畳み状態では山型になって外側に展伸し、前記硬貨収納部の底部を二つ折りにした折り畳み状態で当該底部の外側に巻き付くようにし、前記山型の側壁の上部中央に雄雌いずれかのホック若しくは面状ファスナーを設け、前記二つ折りの折り畳み状態で前記山型の側壁が巻き付く前記硬貨収納部の底面の外側の部分に、前記ホックとはめ合わせられる雌雄いずれかのホック若しくは前記面状ファスナーと係合するファスナー係合部を設け、前記二つ折りの折り畳み状態で、前記山型の側壁を前記硬貨収納部の底面の外側に巻き付け、前記雄雌のホックをはめ合わせ若しくは前記面状ファスナーをファスナー係合部に係合させることによって当該二つ折りの折り畳み状態を保持するものとすることができる。
【考案の効果】
【０００８】
本考案によれば、展開することによってボックス型の硬貨入れとなる硬貨収納部の折り畳み時に内側に来る１つの側壁には紙幣収納部を設け、他方、折り畳み時に外側に出る硬貨収納部の底部の外側にキーホルダー部を設けているので、展開することによってボックス型の硬貨入れにして硬貨の出し入れがしやすく、紙幣も収納でき、しかも二つ折りの折り畳み状態ではキーホルダー部が外側に来てキーの出し入れもしやすく、その上、ボックス型の硬貨収納部を備えながらも折り畳むことで小型にできる多機能な財布が提供できる。
【図面の簡単な説明】
【０００９】
【図１】本考案の第１の実施の形態の財布の正面図である。
【図２】上記第１の実施の形態の財布の背面図ある。
【図３】上記第１の実施の形態の財布の展開図である。
【図４】上記第１の実施の形態の財布の硬貨収納部を開いた状態の正面図である。
【図５】上記第１の実施の形態の財布のキー収納状態を示す背面図である。
【図６】上記第１の実施の形態の財布のキー収納状態を示す側面図である。
【図７】上記第１の実施の形態の財布の設計図である。
【図８】本考案の第２の実施の形態の財布の硬貨収納部を開いた状態の斜視図である。
【図９】上記第２の実施の形態の財布の設計図である。
【考案を実施するための形態】
【００１０】
以下、本考案の実施の形態を図に基づいて詳説する。
【００１１】
＜第１の実施の形態＞
図１〜図３、図７に示すように、第１の実施の形態の財布１は、展開状態では上方に開口する四角なボックス型になる硬貨収納部１２と、紙幣１１を四折りにして収納する紙幣収納部１４と、硬貨収納部１２のほぼ正方形の底部１５の外側半面に形成されたキーホルダー部１８にて構成される。図１、図２において上下方向を長さとすれば、その長さは紙幣の短辺方向の長さより少し大きい寸法である。また図１、図２において左右方向を幅とすれば、当該財布１の折り畳み状態での幅は上記紙幣の長辺方向の長さの１／４より少し大きい寸法である。以下、紙幣を四折りにするとは、紙幣の長辺方向に２度折り曲げることを意味する。
【００１２】
ボックス型の硬貨収納部１２はその底部１５がほぼ正方形であり、四周の側壁２０の高さは底部の一辺の長さのほぼ半分である。図７の設計図において符号１００で示す二点鎖線は山折りの折り畳み線を示しており、ボックス型の硬貨収納部１２はここで山折りするようにしている。
【００１３】
紙幣収納部１４は、ボックス型の硬貨収納部１２の四周の側壁２０のうちの１つの側壁２０Ａの外側に長さ方向に細長いパッチ２１を縫い付けることにより形成してある。この紙幣収納部１４には通貨紙幣１１を四折り状態で収納できる。この紙幣収納部１４が外付けにて形成されている硬貨収納部１２の側壁２０Ａは、折り畳むときには紙幣収納部１４と共に内側に折れ曲がって底部１５のほぼ半分の上に被さる形になる。
【００１４】
硬貨収納部１２の四周のうち、紙幣収納部１４が形成されている側壁２０Ａとは正反対側に位置する側壁２０Ｂについては、当該側壁２０Ｂの下辺に相当する硬貨収納部１２の底部１５の一辺の両端それぞれから当該側壁２０Ｂの上辺中央に向けて斜めに谷折りして折り曲げた部分を縫い込むことによって当該側壁２０Ｂが折り畳み状態では山型になって外側に展伸し、折り畳み状態で硬貨収納部１２の底部１５の外側に巻き付くようにしている。以下、この山型の側壁２０Ｂを「山型側壁１６」と称する。
【００１５】
図２、図５〜図７に示すように、硬貨収納部１２のほぼ正方形の底部１５における山型側壁１６寄りの外側面には、当該財布１の長さ方向に沿ってキー押え片１７を浮かせた状態でその上下端縁部だけを縫い付け、キーホルダー部１８を形成している。キー押え片１７の上端近くにはキー止めのためのフック１９を取り付けている。
【００１６】
図３、図４、図７に示すように、山型側壁１６を含めた硬貨収納部１２は１枚の皮材（あるいは合成皮革材）をほぼ真四角に裁断し、四周を一定の深さになるように内側に折り曲げて立ち上がらせて上方に開口するボックス型になるようにしている。この四周の側壁２０はさらに内側に折り曲げることによって硬貨収納部１２の底部１５の内側に重なるようにしている。
【００１７】
また図１、図３、図４、図７に示すように、山型側壁１６の上部中央に雌型ホック２４を設けている。他方、折り畳み状態で山型側壁１６が巻き付く硬貨収納部１２の底部１５のキーホルダー部１８が設けられていない半分の外面の前後２カ所には、上記雌型ホック２４とはめ合う雄型ホック２５Ａ，２５Ｂを設けている。これらは収納している硬貨の多少により異なる、折り畳み状態での財布１の厚みに合わせて前後いずれかとはめ合わせて厚みを調整するためである。また、これらの雌雄のホック２４，２５のはめ合いによって、財布１を小型に折り畳んだ状態を保持し、かつ、山型側壁１６の中央先端の狭い隙間から中の硬貨がこぼれ出るのを二重に防止する。
【００１８】
以上の構成の財布１では、図３、図４に示すように、紙幣１１は四折りにして紙幣収納部１４に収納し、硬貨１０は硬貨収納部１２に収納することができる。さらに、図５、図６に示すようにキーホルダー部１８にはキー９を収納することができる。これにより小型でありながら紙幣と硬貨を収納する財布としての用途とキーホルダーとしての用途との３種類の用途に対応できる利点がある。そして、図１、図２に示すように財布１を小型に折り畳んで持ち運ぶことができる。
【００１９】
さらに山型側壁１６の上部中央の雌型ホック２４と硬貨収納部１２の底部１５の裏面の雄型ホック２５Ａ又は雄型ホック２５Ｂとのはめ合わせによって硬貨収納部１２の山型側壁１６の先端の狭い隙間から硬貨１０がこぼれ出るのを二重に防止できて硬貨１０と紙幣１１とを安全に収納できる。同時に、雄型ホック２５Ａ，２５Ｂを前後に取り付けたことによって硬貨と紙幣の収納量に応じて変化する財布１の折り畳み状態での厚みに柔軟に対応できる利点もある。加えて、当該財布１を手に持ち、キーホルダー部１８に収納しているキー９を引っ張り出して施錠、解錠操作する際にもそれらのホックが外れて中の硬貨が飛び散るような事態が発生するのも確実に防止できる。
【００２０】
尚、上記実施の形態では、紙幣収納部１４の外側のパッチ２１には、左右２カ所に雄型ホックを設け、一方、左右の側壁２０においてキーホルダー部１８が裏側に形成されている硬貨収納部１２の内側に折り重なる部分にはそれぞれ雌型ホックを設けることにより、財布１の折り畳み状態では、これら左右の雄型ホックと雌型ホックとをはめ合わせるようにすることもでき、それにより、硬貨収納部１２を二つ折り状態に確実に固定し、収納した硬貨１０や紙幣１１が飛び出さないようにすることもできる。
【００２１】
また、上記実施の形態では、雄型ホックと雌型ホックとの取り付け位置を逆にし、雄型ホックの取り付け位置に雌型ホックを取り付け、雌型ホックの取り付け位置に雄型ホックを取り付けることができる。またホックに代えて面状ファスナーを利用することもできる。さらに、材料の該当箇所を縫着する代わりに接着することもできる。また材料は皮革、合成皮革、布のいずれであってもよい。
【００２２】
＜第２の実施の形態＞
第２の実施の形態の財布１は、図８、図９に示すように本体を構成する材料を３パーツに変更したものである。すなわち、側壁２０を形成するパーツ２片とボックス型の硬貨収納部１２を形成するパーツ１片とを用意している。ただし、硬貨収納部１２用のパーツについては、紙幣収納部１４側の側壁２０Ａとこれとは反対側の山型側壁１６とを硬貨収納部１２の底部１５に相当するほぼ正方形の部分に連接させた形状に最初から切断してある。左右両側の側壁２０用のパーツそれぞれについては、硬貨収納部１２の内側に谷折りする部分（一点鎖線２００の部分）を設けている。また図９の設計図においても符号１００で示す二点鎖線は山折りの折り畳み線を示しており、ボックス型の硬貨収納部１２はここで山折りするようにしている。
【００２３】
尚、キーホルダー部１８を形成するためのキー押え片１７と紙幣収納部１４を形成するためのパッチ２１は第１の実施の形態と同様であり、これらのパーツも含めると、本実施の形態の財布１を製作するための材料は５パーツとなる。
【００２４】
図９に示した材料から図８に示す本実施の形態の財布１を製作する手順は、次の通りである。紙幣収納部１４側の側壁２０Ａとそれとは反対側の山型側壁１６とを折り曲げてほぼ直角に立ち上げた状態にし、左右の側壁２０をなすパーツの下縁部と側縁部を側壁２０Ａ、底部１５、山型側壁１６の外縁部に縫い付ける。この縫製作業により、図８に示すように自然状態でボックス型の硬貨収納部１２が上方に開口した状態に仕上がる。
【００２５】
本実施の形態の財布１の場合、左右の側壁２０を一点鎖線２００の部分で谷折りすることにより、第１の実施の形態の財布１と同様に図３に示すような展開状態となる。そしてさらに、山型側壁１６と底部１５との連接部でも谷折りし、山型側壁１６の雌型ホック２４と底面の雄型ホック２５Ａ又は２５Ｂとをはめ合わせることによって、第１の実施の形態の場合と同様に図１、図２に示すような小型の収納状態に折り畳み、その形状を保持できるようになる。
【００２６】
本第２の実施の形態の財布１によっても、第１の実施の形態の財布１と同様に、紙幣１１は四折りにして紙幣収納部１４に収納し、硬貨１０は硬貨収納部１２に収納することができる。さらにキールダー部１８にはキー９を収納することができる。これにより小型でありながら紙幣と硬貨を収納する財布としての用途とキーホルダーとしての用途との３種類の用途に対応できる利点がある。そして、図１、図２に示すように財布１を小型に折り畳んで持ち運ぶことができる。さらにこの折り畳み状態では、山型側壁１６の上部中央の雌型ホック２４と硬貨収納部１２の底部１５の裏面の雄型ホック２５Ａ又は２５Ｂとのはめ合わせによって硬貨収納部１２の硬貨１０が山型側壁１６の先端の狭い隙間からこぼれ出るのを防止できて硬貨１０と紙幣１１とを安全に収納できる。同時に、雄型ホック２５Ａ，２５Ｂを前後に取り付けたことによって硬貨と紙幣の収納量に応じて変化する財布１の折り畳み状態での厚みに柔軟に対応できる利点もある。加えて、当該財布１を手に持ち、キーホルダー部１８に収納しているキー９を引っ張り出して施錠、解錠操作する際にもそれらのホックが外れて中の硬貨が飛び散るような事態が発生するのも確実に防止できる。
【００２７】
尚、本実施の形態にあっても、雄型ホック、雌型ホックはその取り付け位置を逆にすることができる。またホックに代えて面状ファスナーを利用することもできる。さらに、材料の該当箇所を縫着する代わりに接着することもできる。また材料は皮革、合成皮革、布のいずれであってもよい。
【符号の説明】
【００２８】
９  キー
１０  硬貨
１１  紙幣
１２  硬貨収納部
１４  紙幣収納部
１５  底部
１６  山型側壁
１７  キー押え片
１８  キーホルダー部
１９  フック
２０  側壁
２０Ａ  （紙幣収納部側の）側壁
２０Ｂ  （山型側壁を形成する側の）側壁
２４  雌型ホック
２５Ａ，２５Ｂ  雄型ホック
【図１】
0003201861.tif 000003
【図２】
0003201861.tif 000004
【図３】
0003201861.tif 000005
【図４】
0003201861.tif 000006
【図５】
0003201861.tif 000007
【図６】
0003201861.tif 000008
【図７】
0003201861.tif 000009
【図８】
0003201861.tif 000010
【図９】
0003201861.tif 000011